(57)【要約】【課題】  プラズマディスプレイ装置の前面を通じて放射される電磁波を容易にかつ効果的に除去することができ，プラズマディスプレイ装置の体積および重量を最少に減らすことができるプラズマディスプレイ装置を提供する。【解決手段】  プラズマディスプレイパネル１０と，プラズマディスプレイパネル１０の前面に備えられ，電磁波を除去する保護膜３０と，プラズマディスプレイパネル１０の背面に前面が付着されて，プラズマディスプレイパネル１０を駆動する電気的信号を生成する回路部２５が背面に装着されるシャーシーベース２０と，シャーシーベース２０の周縁と保護膜３０に密着するように形成され，保護膜３０とシャーシーベース２０を電気的に接続する導電部材４１とを含む。【選択図】    図２
2006203158.tif 000002
【特許請求の範囲】
【請求項１】
プラズマディスプレイパネルと；
前記プラズマディスプレイパネルの前面に備えられ，電磁波を除去する保護膜と；
前記プラズマディスプレイパネルの背面に前面が付着されるシャーシーベースと；
前記シャーシーベースの周縁および前記保護膜に密着するように形成され，前記保護膜と前記シャーシーベースとを電気的に接続する導電部材と；
を含むことを特徴とする，プラズマディスプレイ装置。
【請求項２】
前記保護膜は，前記プラズマディスプレイパネルの前面に付着される膜形状のフィルターから構成されることを特徴とする，請求項１に記載のプラズマディスプレイ装置。
【請求項３】
前記保護膜は，内部または外部からの衝撃から前記プラズマディスプレイパネルを保護する強化材質を含むことを特徴とする，請求項１または２に記載のプラズマディスプレイ装置。
【請求項４】
前記保護膜と前記導電部材との間に備えられて，前記保護膜と前記導電部材とを電気的に接続し，衝撃を吸収する第１吸収部材をさらに含むことを特徴とする，請求項１〜３のいずれかに記載のプラズマディスプレイ装置。
【請求項５】
前記シャーシーベースには，前記シャーシーベースの周縁を突出するように折曲される折曲部が形成され，前記導電部材は，前記導電部材の上面と前記折曲部とが密着するように形成されることを特徴とする，請求項１〜４のいずれかに記載のプラズマディスプレイ装置。
【請求項６】
前記導電部材は，
前記シャーシーベースの前記折曲部に密着する前記上面と，両側面とを有する本体と，前記本体の前記両側面のうちの一側面が，前記保護膜と密着するように折曲されて形成されるレッグとを含むことを特徴とする，請求項５に記載のプラズマディスプレイ装置。
【請求項７】
前記第１吸収部材は，前記保護膜と前記導電部材の前記レッグの間に備えられて，前記保護膜と前記導電部材の前記レッグとを電気的に接続し，衝撃を吸収することを特徴とする，請求項６に記載のプラズマディスプレイ装置。
【請求項８】
前記保護膜に対向するように配置され，前記保護膜に対向する面の周縁部に前記導電部材を配置し，前記保護膜，前記シャーシーベース，および前記プラズマディスプレイパネルを囲む前面ケースを含み，
前記保護膜と前記前面ケースとの間に備えられ，衝撃を吸収する第２吸収部材をさらに含むことを特徴とする，請求項１〜７のいずれかに記載のプラズマディスプレイ装置。
【請求項９】
プラズマディスプレイパネルと；
前記プラズマディスプレイパネルの前面に備えられ，電磁波を除去する保護膜と；
前記プラズマディスプレイパネルの背面に前面が付着されるシャーシーベースと；
前記シャーシーベースの背面に対向するように設置されるブラケット部材と；
前記ブラケット部材および前記保護膜に密着するように形成され，前記保護膜と前記ブラケット部材とを電気的に接続する導電部材と；
を含むことを特徴とする，プラズマディスプレイ装置。
【請求項１０】
前記シャーシーベースの前記背面に，前記シャーシーベースに対して突出する突出部を有するホルダを設置し，前記ブラケット部材は，前記ホルダの前記突出部の上面で密着され，前記シャーシーベースと電気的に接続されることを特徴とする，請求項９に記載のプラズマディスプレイ装置。
【請求項１１】
前記保護膜は，前記プラズマディスプレイパネルの前面に付着される膜形状のフィルターから構成されることを特徴とする，請求項９または１０に記載のプラズマディスプレイ装置。
【請求項１２】
前記保護膜は，内部および外部からの衝撃から前記プラズマディスプレイパネルを保護する強化材質を含むことを特徴とする，請求項９〜１１のいずれかに記載のプラズマディスプレイ装置。
【請求項１３】
前記保護膜と前記導電部材との間に備えられて，前記保護膜と前記導電部材とを電気的に接続し，衝撃を吸収する第１吸収部材をさらに含むことを特徴とする，請求項９〜１２のいずれかに記載のプラズマディスプレイ装置。
【請求項１４】
前記ブラケット部材の周縁を前記シャーシーベースに対向して突出するように折曲される折曲部が形成され，前記導電部材は，前記導電部材の上面と前記折曲部とが密着するように形成されることを特徴とする，請求項９〜１３のいずれかに記載のプラズマディスプレイ装置。
【請求項１５】
前記導電部材は，
前記ブラケット部材の前記折曲部と密着する前記上面と，両側面とを有する本体と，前記本体の前記両側面のうちの一側面を前記保護膜と密着するように折曲されて形成されるレッグとを含むことを特徴とする，請求項１４に記載のプラズマディスプレイ装置。
【請求項１６】
前記第１吸収部材は，前記保護膜と前記導電部材の前記レッグとの間に備えられて，前記保護膜と前記導電部材とを電気的に接続することを特徴とする，請求項１５に記載のプラズマディスプレイ装置。
【請求項１７】
前記保護膜に対向するように配置され，前記保護膜に対向する面の周縁部に前記導電部材を配置し，前記保護膜，前記シャーシーベース，前記ブラケット部材，および前記プラズマディスプレイパネルを囲む前面ケースを含み，
前記保護膜と前記前面ケースとの間に備えられて，衝撃を吸収する第２吸収部材をさらに含むことを特徴とする，請求項９〜１６のいずれかに記載のプラズマディスプレイ装置。
【発明の詳細な説明】
【技術分野】
【０００１】
本発明は，プラズマディスプレイ装置に関し，より詳しくは，プラズマディスプレイパネルの前面に放出される電磁波を効果的に除去することができるプラズマディスプレイ装置に関するものである。
【背景技術】
【０００２】
一般に，プラズマディスプレイ装置は，プラズマ放電を利用して画像を表示する装置である。プラズマディスプレイ装置は，放電セルで起こるプラズマ放電を利用して画像を表示するプラズマディスプレイパネルと，プラズマディスプレイパネルを強固に支持するシャーシーベースと，プラズマディスプレイパネルを駆動させてシャーシーベースに装着される回路部とを含んで構成される。
【０００３】
一方，従来のプラズマディスプレイ装置は，プラズマディスプレイモジュール（つまり，プラズマディスプレイパネル，シャーシーベース，そして回路基板が順次に結合されたもの）の前面および背面に各々前面ケースと背面ケースが結合される。そして，前面ケースには，使用者がプラズマディスプレイパネルから出力される画像が見られるようにし，プラズマディスプレイパネルで放射される電磁波および物理的衝撃でモジュールを保護することができるように強化ガラスが設置され，強化ガラスは，プラズマディスプレイパネル面との間に空間を有するように，所定の間隔をおいて配置される。
【発明の開示】
【発明が解決しようとする課題】
【０００４】
しかし，このような構成を有する従来のプラズマディスプレイ装置は，有害な電磁波が使用者に直接露出される構造を有する。つまり，モジュールとケースとの間は，空間であるために，この空間を通じてプラズマディスプレイパネルで発散された電磁波が使用者に直接伝達されるという問題があった。また，モジュールとケースとの間の空間によって，プラズマディスプレイ装置の体積が増加する問題があった。さらに，光学的特性かつ物理的特性を考慮して製作される強化ガラスは，値段が高いためにプラズマディスプレイ装置の販売価格を高めて，価格競争力を落とす問題があり，また，この強化ガラス自体の重量が重いために，プラズマディスプレイ装置の重量も増加させる問題があった。
【０００５】
そこで，本発明は，このような問題に鑑みてなされたもので，その目的とするところは，プラズマディスプレイ装置の前面を通じて放射される電磁波を容易にかつ効果的に除去することができ，プラズマディスプレイ装置の体積および重量を最少に減すことができるプラズマディスプレイ装置を提供することにある。
【課題を解決するための手段】
【０００６】
上記課題を解決するために，本発明の第１の観点によれば，プラズマディスプレイパネルと，上記プラズマディスプレイパネルの前面に備えられ，電磁波を除去する保護膜と，上記プラズマディスプレイパネルの背面に前面が付着されて，上記プラズマディスプレイパネルを駆動する電気的信号を生成する回路部が背面に装着されるシャーシーベースと，上記シャーシーベースの周縁と上記保護膜に密着するように形成され，上記保護膜と上記シャーシーベースを電気的に接続する導電部材とを含むプラズマディスプレイ装置が提供される。
【０００７】
本発明によれば，プラズマディスプレイパネルの前面に，電磁波を除去できる保護膜を設けて，保護膜とシャーシーベースの周縁に密着して形成される導電部材によって，シャーシーベースと保護膜とを電気的に接続することができ，プラズマディスプレイパネルで発生する電磁波をシャーシーベースに接地できるので，保護膜の電磁波除去の性能に加えて，より効果的に電磁波を除去することができる。
【０００８】
本発明において，上記保護膜は，上記プラズマディスプレイパネルの前面に付着される膜形状のフィルターから構成されることができる。
【０００９】
また，上記保護膜は，内部および外部からの衝撃から上記プラズマディスプレイパネルを保護する強化材質を含むことができる。
【００１０】
本発明のプラズマディスプレイ装置は，上記保護膜と上記導電部材との間に備えられて，上記保護膜と上記導電部材とを電気的に接続し，衝撃を吸収する第１吸収部材をさらに含むこともできる。
【００１１】
本発明において，上記シャーシーベースには，上記シャーシーベースの周縁を突出するように折曲される折曲部が形成され，上記導電部材は，上記導電部材の上面と上記折曲部とが密着するように形成されることができる。
【００１２】
この時，上記導電部材は，上記シャーシーベースの上記折曲部に密着する上面と，両側面とを有する本体と，上記本体の両側面のうちの一側面が上記保護膜と密着するように折曲されて形成されるレッグとを含むことができる。
【００１３】
また，本発明のプラズマディスプレイ装置において，上記第１吸収部材は，上記保護膜と上記導電部材の上記レッグとの間に備えられて，上記保護膜と上記導電部材の上記レッグとを電気的に接続し，衝撃を吸収することができる。
【００１４】
この時，本発明のプラズマディスプレイ装置は，上記保護膜に対向するように配置され，上記保護膜に対向する面の周縁部に上記導電部材を配置し，上記保護膜，上記シャーシーベース，および上記プラズマディスプレイパネルを囲む前面ケースを含み，上記保護膜と上記前面ケースとの間に備えられて，衝撃を吸収する第２吸収部材をさらに含むことができる。
【００１５】
上記課題を解決するために，本発明の第２の観点によれば，プラズマディスプレイパネルと，上記プラズマディスプレイパネルの前面に備えられ，電磁波を除去する保護膜と，上記プラズマディスプレイパネルの背面に前面が付着されて，上記プラズマディスプレイパネルを駆動する電気的信号を生成する回路部が背面に装着されるシャーシーベースと，上記シャーシーベースの上記背面に対向するように設置されるブラケット部材と，上記保護膜および上記ブラケット部材に密着するように形成され，上記保護膜と上記ブラケット部材とを電気的に接続する導電部材とを含むプラズマディスプレイ装置が提供される。
【００１６】
本発明において，上記シャーシーベースの上記背面には，上記シャーシーベースに対して突出する突出部を有するホルダが設置され，上記ブラケット部材は，上記ホルダの上記突出部の上面で密着され，上記シャーシーベースと電気的に接続することができる。
【００１７】
本発明によれば，シャーシーベースの背面にホルダを設け，ホルダに密着して形成されるブラケット部材が導電部材と密着するので，保護膜とシャーシーベース，保護膜とブラケット部材が電気的に接続され，効率良く電磁波を除去でき，ブラケット部材によって，プラズマディスプレイパネル，保護膜およびシャーシーベースで構成されるモジュールの構造的変形も防ぐことができる。
【００１８】
本発明において，上記保護膜は，上記プラズマディスプレイパネルの前面に付着される膜形状のフィルターから構成されることができる。
【００１９】
また，上記保護膜は，内部および外部からの衝撃から上記プラズマディスプレイパネルを保護する強化材質を含むことができる。
【００２０】
また，本発明のプラズマディスプレイ装置は，上記保護膜と上記導電部材との間に備えられて，上記保護膜と上記導電部材とを電気的に接続し，衝撃を吸収する第１吸収部材をさらに含むことができる。
【００２１】
また，本発明のプラズマディスプレイ装置は，上記ブラケット部材の周縁を上記シャーシーベースに対向して突出するように折曲される折曲部が形成され，上記導電部材は，上記導電部材の上面と上記折曲部とが密着するように形成されることができる。
【００２２】
この時，上記導電部材は，上記ブラケット部材の上記折曲部と密着する上記上面と，両側面とを有する本体と，上記本体の上記両側面のうちの一側面が上記保護膜と密着するように折曲されて形成されるレッグを含むことができる。
【００２３】
また，本発明のプラズマディスプレイ装置において，上記第１吸収部材は，上記保護膜と上記導電部材の上記レッグとの間に備えられて，上記保護膜と上記導電部材の上記レッグとを電気的に接続し，衝撃を吸収することができる。
【００２４】
この時，本発明のプラズマディスプレイ装置は，上記保護膜に対向するように配置され，上記保護膜に対向する面の周縁部に上記導電部材を配置し，上記保護膜，上記シャーシーベース，上記ブラケット部材，および上記プラズマディスプレイパネルを囲む前面ケースを含み，上記保護膜と上記前面ケースとの間に備えられ，衝撃を吸収する第２吸収部材をさらに含むことができる。
【発明の効果】
【００２５】
以上説明したように本発明によれば，前面ケースとプラズマディスプレイパネルとの間の空間をなくして構成されるので，この空間を通じて放射された電磁波を効果的に除去することができ，従来のプラズマディスプレイ装置に比べて，体積を減少することができる。電磁波を除去するように構成される本発明の保護膜は，導電部材を通じて回路構成において接地を構成しているシャーシーベースと接続されるので，効果的に電磁波を除去することができる。また，プラズマディスプレイパネルの前面に，従来の強化ガラスに替えて保護膜を備えて構成されるので，装置の重量を最大に減らすことができるため，プラズマディスプレイ装置の重量を従来のプラズマディスプレイ装置の重量より顕著に減らすことができる利点がある。また，本発明のプラズマディスプレイ装置は，吸収部材を前面ケースとプラズマディスプレイパネルとの間に備えることによって，内外部からプラズマディスプレイパネルに加えられる衝撃より，プラズマディスプレイパネルを安全に保護することができる。
【発明を実施するための最良の形態】
【００２６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２７】
図１は，プラズマディスプレイ装置を示した分解斜視図である。図２は，図１のII-II線に沿って切開して示す断面図である。
【００２８】
図２に示したように，本発明の第１実施形態に係るプラズマディスプレイ装置は，プラズマディスプレイパネル１０と，シャーシーベース２０と，保護膜３０と，導電部材４１とを含む。
【００２９】
公知のように，プラズマディスプレイパネル１０は，放電セルで起こるプラズマ放電を利用して画像を表示するディスプレイ素子である。
【００３０】
そして，シャーシーベース２０は，全体的に板形状を有するように形成され，プラズマディスプレイパネル１０と面接触してプラズマディスプレイパネル１０を支持する。シャーシーベース２０は，プラズマディスプレイパネル１０の重量を十分に支持することができるように金属などのような物質で形成されることが好ましい。
【００３１】
そして，図２によれば，保護膜３０は，プラズマディスプレイパネル１０の前面に備えられ，好ましくは，プラズマディスプレイパネル１０の前面全体に備えられる薄い膜形状のフィルターによって構成される。ここで，プラズマディスプレイパネル１０の前面は，図１を参照すると，プラズマディスプレイパネル１０のｚ軸正方向側の面となる。保護膜３０は，従来の強化ガラスを代替することができる構成を有し，プラズマディスプレイパネル１０の光学的特性および物理的特性を補正することができる。例えば，保護膜３０は，プラズマディスプレイパネル１０から放出される電磁波を除去することができ，内部および外部からの衝撃からプラズマディスプレイパネル１０を保護することができる。また，保護膜３０は，内部および外部からの衝撃からプラズマディスプレイパネルを保護するために，強化材質を含むことができる。
【００３２】
このように，前面に保護膜３０を備えたプラズマディスプレイパネル１０は，プラズマディスプレイパネル１０の背面に両面テープのような部材を使用してシャーシーベース２０と強固に付着される。この場合，プラズマディスプレイパネル１０とシャーシーベース２０とは，プラズマディスプレイパネル１０の背面とシャーシーベース２０の前面とが面対向するように付着され，プラズマディスプレイパネル１０で発生する熱を拡散させる熱伝導部材を追加的に構成することもできる。
【００３３】
一方，シャーシーベース２０の背面には，複数の回路部２５が設置される。回路部２５は，プラズマディスプレイパネル１０の放電セルを選択し，選択された放電セルを維持放電する電気的信号をプラズマディスプレイパネル１０に印加する。
【００３４】
このように，プラズマディスプレイパネル１０とシャーシーベース２０と保護膜３０，そして回路部２５を含んで構成されるモジュール４５は，プラズマディスプレイパネル１０の前面に，つまり，保護膜３０に対向するように配置される前面ケース７０と，前面ケース７０と結合されてモジュール４５を囲む背面ケース６０によって包装される。つまり，プラズマディスプレイパネル１０の前面に配置される前面ケース７０と，シャーシーベース２０の背面に配置される背面ケース６０とが，モジュール４５を間に挟んで，結合される。
【００３５】
図２に示されたように，前面ケース７０は，モジュール４５の外側周囲を囲むことができるように形成され，前面ケース７０の内部には，ウィンドウ７２が設置される。ウィンドウ７２を通じてプラズマディスプレイパネル１０が実現する画像が表示される。
【００３６】
一方，前面ケース７０のプラズマディスプレイパネル１０の周囲を覆う部分の内側，つまり，前面ケース７０の保護膜３０に対向する面の周縁部には，プラズマディスプレイパネル１０の前面に設置された保護膜３０をシャーシーベース２０と電気的に接続するように，保護膜３０およびシャーシーベース２０の周縁に密着するように形成される導電部材４１が設置される。ここで，導電部材４１は，前面ケース７０の保護膜３０に対向する面の周縁部全部または一部に形成されることができる。
【００３７】
本発明の第１実施形態において，シャーシーベース２０は，シャーシーベース２０の周縁で段差を有するように形成される折曲部２２を備える。つまり，折曲部２２は，シャーシーベース２０に対して，シャーシーベース２０の周縁が突出されるように形成される。本実施形態で，導電部材４１は，シャーシーベース２０の折曲部２２と密着する構造を有する。図１および図２において，折曲部２２は，シャーシーベース２０の周縁のうち，下部の長辺部を折曲されて形成されているが，シャーシーベース２０の周縁全て，つまり上下長辺部および左右短辺部に折曲部２２が形成され，折曲部２２に対応するように導電部材４１を配置してもよい。この場合，電磁波をより効果的に除去することができる。
【００３８】
導電部材４１は，シャーシーベース２０の折曲部２２にその上面４１１（図１で，導電部材４１のｚ軸負方向側の面）が密着するように形成され，上面４１１と両側面とから構成される本体４１ａと，両側面の一側面には，プラズマディスプレイパネル１０と接触できるように延長されたレッグ４１ｂとを含む。
【００３９】
図２では，導電部材４１の本体４１aがシャーシーベース２０の折曲部２２に向かって突出するように形成され，本体４１ａの内部は，空いている形状を例として示す。また，レッグ４１ｂは，本体４１ａにおける両側面の一側面の下端が前面ケース７０と保護膜３０との間で，前面ケース７０と保護膜３０に密着するように折曲されて形成される。
【００４０】
したがって，前面ケース７０がボス７４を通じてシャーシーベース２０と固定される時，導電部材４１の本体４１ａは，モジュール４５の周囲を囲むように形成され，本体４１ａの上面４１１がシャーシーベース２０の折曲部２２と密着する。この時，レッグ４１ｂは，プラズマディスプレイパネル１０の前面における周囲部分に設置された保護膜３０と対向し，レッグ４１ｂが保護膜３０と面接触をしながら密着される。
【００４１】
したがって，プラズマディスプレイパネル１０の前面に設置されてプラズマディスプレイパネル１０から出る電磁波を除去する保護膜３０は，導電部材４１を通じてプラズマディスプレイパネル１０の背面に設置されたシャーシーベース２０と電気的に接続される構造を有する。保護膜３０は，従来の強化ガラスを代替することができるので，従来のプラズマディスプレイ装置に比べて，重量を減少することができ，製造費用も削減することができる。
【００４２】
一方，シャーシーベース２０と導電部材４１は，導電性金属と同じ物質で製作される。また，シャーシーベース２０は，回路部の回路構成で接地をなしており，プラズマディスプレイパネル１０で放射される電磁波は，保護膜３０と導電部材４１によって電気的に接続されるシャーシーベース２０に接地されるため，保護膜３０自体の電磁波を除去する機能に加えて，さらに効果的に除去されることができる。また，導電部材４１を前面ケース７０とシャーシーベース２０との間に配置するので，前面ケース７０とプラズマディスプレイパネル１０との間の空間をなくして構成されるので，この空間を通じて放射される電磁波を効果的に除去することができ，従来のプラズマディスプレイ装置の体積に比べて，その体積を減少することができる。
【００４３】
そして，保護膜３０と導電部材４１のレッグ４１ｂとの間には，プラズマディスプレイパネル１０に伝達される衝撃を吸収する第１吸収部材５０をさらに備えることができる。第１吸収部材５０は，図４で示しているように，衝撃を吸収するスポンジ５１とスポンジ５１を被覆している金属織物５２を含んで構成することができる。ここで，金属織物５２とは，金属を織って作った織物のことである。
【００４４】
したがって，保護膜３０と導電部材４１のレッグ４１ｂとの間に，第１吸収部材５０を備えても，保護膜３０とシャーシーベース２０との間の電気的接続は，そのまま維持されるので，プラズマディスプレイパネル１０で放射される電磁波を効果的に除去するとともに，プラズマディスプレイパネル１０を内部および外部からの衝撃から保護することができる。
【００４５】
一方，第１吸収部材５０は，スポンジ５１と金属織物５２との間に形成されて，スポンジ５１を振動熱から保護する難燃部材５３をさらに含むことができる。
【００４６】
また，本実施形態のプラズマディスプレイ装置は，保護膜３０と前面ケース７０との間に位置し，第１吸収部材５０を補助してプラズマディスプレイパネル１０に加えられる衝撃を緩衝し，保護膜３０と前面ケース７０との間の空間に流入される異物を防止する第２吸収部材８０をさらに設置することができる。第２吸収部材８０は，所定の圧縮力を有するスポンジであっても良い。
【００４７】
以下，図３を参照して本発明の第２実施形態に係るプラズマディスプレイ装置を説明する。図３は，本発明の第２実施形態に係るプラズマディスプレイ装置の概略的な断面図である。第２実施形態を説明することにおいて，上述した構成と同一なものに対しては同一図面番号を使用しており，その詳細な説明は省略する。
【００４８】
本発明の第２実施形態に係るプラズマディスプレイ装置は，プラズマディスプレイパネル１０と，前面ケース７０と，背面ケース６００と，シャーシーベース２００と，保護膜３０と，導電部材４１と，ブラケット部材９００と，ホルダ２０２とを含む。
【００４９】
シャーシーベース２００は，全体的に板形状を有するように形成され，プラズマディスプレイパネル１０と面接触してプラズマディスプレイパネル１０を支持する。シャーシーベース２００は，プラズマディスプレイパネル１０の重量を十分に支持することができるように金属などのような物質で形成されることが好ましい。
【００５０】
そして，図３によれば，保護膜３０は，プラズマディスプレイパネル１０の前面に備えられ，好ましくは，プラズマディスプレイパネル１０の前面全体に備えられる薄い膜形状のフィルターによって構成される。ここで，プラズマディスプレイパネル１０の前面は，図１を参照すると，プラズマディスプレイパネル１０のｚ軸正方向側の面となる。保護膜３０は，従来の強化ガラスを代替することができる構成を有し，プラズマディスプレイパネル１０の光学的特性および物理的特性を補正することができる。例えば，保護膜３０は，プラズマディスプレイパネル１０から放出される電磁波を除去することができ，内部および外部からの衝撃からプラズマディスプレイパネル１０を保護することができる。また，保護膜３０は，内部および外部からの衝撃からプラズマディスプレイパネルを保護するために，強化材質を含むことができる。
【００５１】
このように，前面に保護膜３０を備えたプラズマディスプレイパネル１０は，プラズマディスプレイパネル１０の背面に両面テープのような部材を使用してシャーシーベース２００と強固に付着される。この場合，プラズマディスプレイパネル１０とシャーシーベース２００とは，プラズマディスプレイパネル１０の背面とシャーシーベース２００の前面とが面対向するように付着され，プラズマディスプレイパネル１０で発生する熱を拡散させる熱伝導部材を追加的に構成することもできる。
【００５２】
一方，シャーシーベース２００の背面には，複数の回路部２５が設置される。回路部２５は，プラズマディスプレイパネル１０の放電セルを選択し，選択された放電セルを維持放電する電気的信号をプラズマディスプレイパネル１０に印加する。
【００５３】
このように，プラズマディスプレイパネル１０とシャーシーベース２００と保護膜３０，そして回路部２５を含んで構成されるモジュール４５０は，プラズマディスプレイパネル１０の前面に配置される前面ケース７０と，前面ケース７０と結合されてモジュール４５０を囲む背面ケース６００とによって包装される。つまり，プラズマディスプレイパネル１０の前面に配置される前面ケース７０と，シャーシーベース２００の背面に配置される背面ケース６００とが，モジュール４５０を間に挟んで，結合される。
【００５４】
図３に示されたように，前面ケース７０は，モジュール４５０の外側周囲を囲むことができるように形成され，前面ケース７０の内部には，ウィンドウ７２が設置される。ウィンドウ７２を通じてプラズマディスプレイパネル１０が実現する画像が表示される。
【００５５】
一方，前面ケース７０のプラズマディスプレイパネル１０の周囲を覆う部分の内側，つまり，前面ケース７０の保護膜３０に対向する面の周縁部には，プラズマディスプレイパネル１０の前面に設置された保護膜３０をブラケット部材９００と電気的に接続するように，保護膜３０およびブラケット部材９００の周縁に密着するように形成される導電部材４１が設置される。ここで，導電部材４１は，前面ケース７０の保護膜３０に対向する面の周縁部全部または一部に形成されることができる。
【００５６】
ブラケット部材９００は，シャーシーベース２００の背面に対向するように設置されてモジュール４５０の構造的変形を防止することができる。ブラケット部材９００は，ブラケット部材９００の周縁をシャーシーベース２００に対向して突出するように折曲されて形成される折曲部９０２を形成しており，金属などで製作される。図３において，折曲部９０２は，ブラケット部材９００の周縁のうち，下部の長辺部を折曲されて形成されているが，ブラケット部材９００の周縁全て，つまり上下長辺部および左右短辺部に折曲部９０２が形成され，折曲部９０２に対応するように導電部材４１を配置してもよい。この場合，電磁波をより効果的に除去することできる。
【００５７】
導電部材４１は，ブラケット部材９００の折曲部９０２にその上面４１１（図１で，導電部材４１のｚ軸負方向側の面）が密着するように形成され，上面４１１と両側面とから形成される本体４１ａと，両側面の一側面には，保護膜３０と密着できるように折曲されて形成されるレッグ４１ｂとを含む。
【００５８】
図３では，導電部材４１の本体４１aがブラケット部材９００の折曲部９０２に向かって突出するように形成され，本体４１ａの内部は，空いている形状を例として示す。また，レッグ４１ｂは，本体４１ａにおける両側面の一側面の下端が前面ケース７０と保護膜３０との間で，前面ケース７０および保護膜３０に密着するように折曲されて形成される。
【００５９】
したがって，前面ケース７０がボス７４を通じてブラケット部材９００と固定される時，導電部材４１の本体４１ａは，モジュール４５０の周囲を囲みながら，本体４１ａの上面４１１がブラケット部材９００の折曲部９０２と密着する。この時，レッグ４１ｂは，プラズマディスプレイパネル１０の前面における周囲部分に設置された保護膜３０と対向し，レッグ４１ｂが保護膜３０と面接触をしながら密着される。
【００６０】
一方，シャーシーベース２００の背面には，金属などで形成されるホルダ２０２が備えられており，ホルダ２０２は，シャーシーベース２００に対して突出する突出部２０２ａを有し，突出部２０２ａは，上面および両側面とを含んで構成される。両側面の一端は，シャーシーベース２００に密着するように折曲されて，例えば，両側面の断面がL字状になるように折曲されて，L字状の水平線に相当する部分，つまり両側面の一端が，シャーシーベース２００に密着するように形成される。ブラケット部材９００は，ホルダ２０２の突出部２０２ａの上面で密着され，ホルダ２０２と接続される。
【００６１】
そして，ブラケット９００の折曲部９０２と前面ケース７０との間には，上述した構造を有する導電部材４１が設置されている。
【００６２】
したがって，前面ケース７０がボス７４を通じてブラケット部材９００と固定される時，導電部材４１の上面４１１がブラケット部材９００の折曲部９０２と密着する。また，ブラケット部材９００は，ホルダ２０２の突出部２０２ａの上面と密着されるため，シャーシーベース２００と電気的に接続されている。ブラケット部材９００と保護膜３０は，導電部材４１によって電気的に接続されるので，保護膜３０とシャーシーベース２００は，導電部材４１，ブラケット部材９００，ホルダ２０２によって電気的に接続される。従って，プラズマディスプレイパネル１０で放射される電磁波は，保護膜３０を通じてシャーシーベース２００に接地されるため，保護膜３０自体の電磁波を除去する機能に加えて，さらに効果的に除去される。保護膜３０は，従来の強化ガラスを代替することができるので，従来のプラズマディスプレイ装置に比べて，重量を減少することができ，製造費用も削減することができる。また，導電部材４１を前面ケース７０とシャーシーベース２００との間に配置するので，前面ケース７０とプラズマディスプレイパネル１０との間の空間をなくして構成されるので，この空間を通じて放射される電磁波を効果的に除去することができ，従来のプラズマディスプレイ装置の体積に比べて，その体積を減少することができる。
【００６３】
また，ブラケット部材９００は，金属などで形成されるので，ブラケット部材９００自体のみでも接地することができるので，保護膜３０によって効果的に電磁波が除去できる。
【００６４】
上述の第１実施形態と同様に，本実施形態において，保護膜３０と導電部材４１のレッグ４１ｂとの間に，第１吸収部材５０を備えることができる。また，保護膜３０と前面ケース７０との間に，第２吸収部材８０をさらに備えることができる。第１吸収部材および第２吸収部材は，ともに第１実施形態で説明したような構造を有し，同様の作用を行うため，詳細な説明を省略する。
【００６５】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００６６】
【図１】本発明の第１実施形態に係るプラズマディスプレイ装置を示した分解斜視図である。
【図２】図１のII-II線に沿って切開して示す断面図である。
【図３】本発明の第２実施形態に係るプラズマディスプレイ装置の概略的な断面図である。
【図４】第１吸収部材を切開して示す斜視図である。
【符号の説明】
【００６７】
１０      プラズマディスプレイパネル
２０，２００      シャーシーベース
２２，９０２      折曲部
２５      回路部
３０      保護膜
４１      導電部材
４１ａ      本体
４１ｂ      レッグ
４５，４５０      モジュール
５０      第１吸収部材
５１      スポンジ
５２      金属織物
５３      難燃部材
６０，６００      背面ケース
７０      前面ケース
７２      ウィンドウ
８０      第２吸収部材
２０２      ホルダ
２０２ａ      突出部
４１１      上面
９００      ブラケット部材
【図１】
2006203158.tif 000003
【図２】
2006203158.tif 000004
【図３】
2006203158.tif 000005
【図４】
2006203158.tif 000006